(57)【要約】   香料用途において、ＫＡＲＡＮＡＬとしても知られている化合物２−（２，４−ジメチルシクロヘキサ−３−エン−１−イル）−５−メチル−５−（１−メチルプロピル）−１，３−ジオキサンの好適な置換物である香料組成物が記載されている。当該組成物は（１’Ｒ、３Ｓ、６’Ｓ）−１−（２’、２’、６’−トリメチル−１’−シクロヘキシル）−３−ヘキサノール、（１’Ｓ、３Ｓ、６’Ｒ）−１−２’、６’−トリメチル−１’−シクロヘキシル）−３−ヘキサノール原料、オクタヒドロ−２，２，５，８，８，９ａ−ヘキサメチル−４Ｈ−４ａ，９−メタノアズレノ［５，６−ｄ］−１，３−ジオキソールの異性体、２−（テトラメチルトリシクロ［６．２．１．０］ウンデカ−４／５−エン−５−イル）プロパノールの異性体およびデカヒドロ−２，６，６，７，８，８−ヘプタメチルインデノフランの異性体からなる群から選択される少なくとも1種の第１香料原料を含む。当該組成物はまた少なくとも１種の第２香料原料を含む。【特許請求の範囲】
【請求項１】
ＫＡＲＡＮＡＬを含まないかまたは実質的に含まず、以下から選択される少なくとも３種の香料原料の混合物を含む、ウッディ、アンバー様香料組成物：
（１’Ｒ、３Ｓ、６’Ｓ）−１−（２’、２’、６’−トリメチル−１’−シクロヘキシル）−３−ヘキサノール、（１’Ｓ、３Ｓ、６’Ｒ）−１−（２’、６’−トリメチル−１’−シクロヘキシル）−３−ヘキサノールまたはこれらの任意の混合物；ならびに
オクタヒドロ−２，２，５，８，８，９ａ−ヘキサメチル−４Ｈ−４ａ，９−メタノアズレノ［５，６−ｄ］−１，３−ジオキソールの異性体または異性体の混合物、限定されるものではないがこれには（４ａＲ、５Ｒ、７ａＳ、９Ｒ）−オクタヒドロ−２，２，５，８，８，９ａ−ヘキサメチル−４Ｈ−４ａ，９−メタノアズレン［５，６−ｄ］−１，３−ジオキソールが挙げられる；２−（テトラメチルトリシクロ［６．２．１．０］ウンデカ−４／５−エン−５−イル）プロパノールの異性体または異性体の混合物；およびデカヒドロ−２，６，６，７，８，８−ヘプタメチルインデノフランの異性体または異性体の混合物からなる群から選択される少なくとも１種の第１香料原料；ならびに
（Ｚ）−４，１１，１１−トリメチル−８−メチレンビシクロ［７．２．０］ウンデカ−４−エン；３ａ，６，６，９ａ−テトラメチル−２，４，５，５ａ，７，８，９，９ｂ−オクタヒドロ−１Ｈ−ベンゾ［ｅ］［１］ベンゾフラン；（エトキシメトキシ）シクロドデカン；６−（ｓｅｃ−ブチル）キノリン；（１Ｒ，６Ｓ，８ａＳ）−６−メトキシ−１，４，４，６−テトラメチルオクタヒドロ−１Ｈ−５，８ａ−メタノアズレン；２−（ｔｅｒｔ−ペンチル）シクロヘキシルアセタート；２−（２−（３，３，５−トリメチルシクロヘキシル）アセチル）シクロペンタノン；（１ａＳ，２ａＲ，３Ｒ，５ａＳ，７Ｒ，７ａＲ）−オクタヒドロ−３，６，６，７ａ−テトラメチル−２Ｈ−２ａ，７−メタノズレノ５，６−ｂオキシレン；３ａ，６，６，９ａ−テトラメチルドデカヒドロナフト［２，１−ｂ］フラン；２，４ａ，５，８ａ−テトラメチル−１，２，３，４，４ａ，７，８，８ａ−オクタヒドロナフタレン−１−イルホルマート；１−（１，２，８，８−テトラメチル−１，２，３，４，５，６，７，８−オクタヒドロナフタレン−２−イル）エタノン；２，２，７，７−テトラメチルトリシクロ［６．２．１．０１，６］ウンデカンエタン−５−オン；（Ｚ）−３，４，５，６，６−ペンタメチルヘプタ−３−エン−２−オン；３，４，５，６，６−ペンタメチルヘプタン−２−オール；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン；２，４−ジメチル−２−（５，５，８，８−テトラメチル−５，６，７，８−テトラヒドロナフタレン−２−イル）−１，３−ジオキソラン；２’，２’，３，７，７−ペンタメチルスピロ［ビシクロ［４．１．０］ヘプタン−２，５’−［１，３］ジオキサン］；（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールの立体異性体またはこれらの混合物；１−（（２Ｅ，５Ｚ，９Ｚ）−２，７，８−トリメチルシクロドデカ−２，５，９−トリエン−１−イル）エタノン；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン；２−メチル−４−（５，６，６−トリメチルビシクロ［２．２．１］ヘプタ−２−イル−シクロヘキサノン；１−（（２−（ｔｅｒｔ−ブチル）シクロヘキシル）オキシ）ブタン−２−オール；３，８，８，１１ａ−テトラメチルドデカヒドロ−１Ｈ−３，５ａ−エポキシナフト［２，１−ｃ］オキセピン；３ａ，６，６，９ａ−テトラメチルドデカヒドロナフト［２，１−ｂ］フラン；（１Ｒ，２Ｓ，４Ｒ）−２’−イソプロピル−１，７，７−トリメチルスピロ［ビシクロ［２．２．１］ヘプタン−２，４’−［１，３］ジオキサン］；２−（ｓｅｃ−ブチル）−１−ビニルシクロヘキシルアセタート；４−（１−エトキシビニル）−３，３，５，５−テトラメチルシクロヘキサノン；２−（ｓｅｃ−ブチル）−１−メチルシクロヘキシルアセタート；２−メチルウンデカン酸；２−シクロヘキシルヘプタ−１，６−ジエン−３−オン；デカヒドロ−２，６，６，７，８，８−ヘキサメチル−２Ｈ−インデノ［４，５−ｂ］フラン；およびヘキサヒドロ−１’，１’，５’，５’−テトラメチル−スピロ（１，３−ジオキソラン−２，８’（５’Ｈ）−（２Ｈ−２，４ａ）メタノナフタレン）からなる群から選択される少なくとも１種の第２香料原料。
【請求項２】
さらにＩＳＯ  Ｅ  ＳＵＰＥＲ、ＩＳＯ  ＧＡＭＭＡ  ＳＵＰＥＲおよびＳＹＬＶＡＭＢＲＥＮＥからなる群から選択される少なくとも１種の第３香料原料を含む、請求項１に記載の香料組成物。
【請求項３】
請求項１または２に記載の香料組成物および少なくとも１種のさらなる香料共原料を含む、フレグランス配合物。
【請求項４】
請求項１または２に記載のウッディ、アンバー様香料組成物または請求項３に記載のフレグランス配合物を含有する、ファイン香料、布地ケア製品、ホームケア製品、パーソナルケア製品またはエアケア製品などの付香物品。
【請求項５】
フレグランス配合物にＫＡＲＡＮＡＬを連想させる香気アコードを付与する方法であって、請求項１または２に記載のウッディ、アンバー様香料組成物を、ＫＡＲＡＮＡＬを含まない前記フレグランス配合物に組み込む工程を含む、前記方法。
【発明の詳細な説明】
【技術分野】
【０００１】
本発明は香料の分野に関する。より詳細には、技術的な用途およびファイン香料の用途の両方において、ＫＡＲＡＮＡＬ（登録商標）の代わりとして有用である香料組成物に関連する。
【背景技術】
【０００２】
商品名ＫＡＲＡＮＡＬ（登録商標）で市販されている２−（２，４−ジメチルシクロヘキサ−３−エン−１−イル）−５−メチル−５−（１−メチルプロピル）−１，３−ジオキサンは、それがフレグランス配合物および物品にもたらすドライ、ラディアント、ウッディアンバー様ノート（dry, radiant, woody ambery notes）で評価される香料原料（perfume ingredient）である。しかしながら、最近では、生物蓄積および生分解性に関する環境問題に関して認識が高まっており、ＫＡＲＡＮＡＬ（登録商標）がＥＣＨＡによる高懸念物質（ＳＶＨＣ）に分類されるようになった。欧州における規制状況は現在検討中であり、ＳＶＨＣとして確認されれば、それを使用するには特定の許可が必要となる。
【０００３】
そのＳＶＨＣステータスが確認された場合、香料製造者はＫＡＲＡＮＡＬ（登録商標）に頼るのを減らさざるを得なくなるか、またはパレット全体からそれを排除することが予想され得る。かかる規制上の制限を予期して、香料製造者のパレットにＫＡＲＡＮＡＬ（登録商標）の置換物を提供する必要がある。
【０００４】
ＫＡＲＡＮＡＬ（登録商標）は、ウォーム、アンバー様、ウッディ香気（warm, ambery, woody odour）を呈する香料原料として広く分類され得る。しかしながら、アンバー様、ウッディクラスの香料原料の中で、ＫＡＲＡＮＡＬ（登録商標）は、かなり独創的な香気特性を持っている。より具体的には、それは、シャープで、ラディアントなバーニング効果（a sharp, radiant, burning effect）とも表現される、独創的な特徴、ドライで、ミネラルな効果を有する。
【０００５】
さらに、技術的な観点から見ると、それは極めて力強くて高性能な香料原料である。例えば、洗濯用洗剤組成物およびシャンプーなどのヘアケア製品など様々な製品において技術的な香料で試験した場合、容器中でそのまま嗅がれた場合に生じる最初の印象的な印象から；水で希釈された場合のそのブルーミング効果を介して；その後、基材（例えば、毛髪または布地）上への適用後、基材を乾燥しているときの湿った段階と、その後の基材が乾燥した時点の両方での持続的な効果まで、適用のすべての段階で特徴的に顕著であると記載されている。
【０００６】
香料製造者が利用可能な多くのウッディ、アンバー様香料原料中で、ＫＡＲＡＮＡＬ（登録商標）の複雑な特性とその優れた技術的な性能により、香料製造者はファイン香料および技術的な香料の両方において、真に独創的で差別的なフレグランスを創り出すことができる。しかしながら、この複雑さのために、それは配合することが困難な分子とみなされている。これに関連して、また本発明と関連した関心において、このことは香料製造者のパレット中にその代替物または置換物を見つける作業が厄介な作業であることを意味する。実に、広範な調査を経て、出願人は、既存のアンバー様、ウッディパレットの原料が、ＫＡＲＡＮＡＬ（登録商標）の代替の問題に対して単一原料の解決法を提供せず、また、アンバー様、ウッディパレットからの原料の組み合わせもＫＡＲＡＮＡL（登録商標）の適切な代理物を提供しないことを見出した。さらにまた、本出願人はこの問題に対する先行技術の解決策について認識はなく、快楽および技術的な性能の両方の観点から、ＫＡＲＡＮＡＬ（登録商標）の代理物は見つけにくいことが判明している。
【発明の概要】
【０００７】
本開示は、第１の側面において、ＫＡＲＡＮＡＬ（登録商標）を含まないかまたは実質的に含まないがＫＡＲＡＮＡＬ（登録商標）の香気および性能を連想させる以下の本明細書で定義されるウッディ、アンバー様香料組成物を、提供することにより、従来技術における欠点を改善する。
本開示はまた、その別の側面において、前記ウッディ、アンバー様香料組成物を含有するフレグランス配合物に関する。
【０００８】
本開示は、さらに別の側面において、前記ウッディ、アンバー様香料組成物をそれ自体として、またはフレグランス配合物の一部として含有する、例えばファイン香料、布地ケア製品、ホームケア製品、パーソナルケア製品またはエアケア製品などの付香された物品に関する。
【０００９】
本開示はまた、さらに別の側面において、ＫＡＲＡＮＡＬ（登録商標）を使用することなく、ＫＡＲＡＮＡＬ（登録商標）を連想させるウッディ、アンバー様香料アコードをフレグランス配合物または付香された物品に提供する方法に関し、本明細書において以下に定義されるウッディ、アンバー様香料組成物が、前記フレグランス配合物または付香された物品に組み込まれることを特徴とする。
【００１０】
本開示はまた、ＫＡＲＡＮＡＬ（登録商標）を連想させるウッディ、アンバー様香料アコードの調製における、原料ＫＡＲＡＮＡＬ（登録商標）の置換物としての、本明細書において以下に定義されるウッディ、アンバー様香料組成物の使用に関する。
【００１１】
発明の詳細な説明
本明細書において、ウッディ、アンバー様香料組成物が提供され、これはＫＡＲＡＮＡＬ（登録商標）の全体または一部の代替物として、フレグランス配合物および付香された物品において特に有用である。
【００１２】
本明細書中で使用する用語として、ウッディ、アンバー様香料組成物は、香料原料の混合物を含有する香料組成物であるが、それ自体が完成したフレグランス配合物として主に使用されることを意図するものではない。すなわち、本発明のウッディ、アンバー様香料組成物は、完成した香料配合物中の構成成分として主に使用されることを意図している。
【００１３】
本明細書で使用する用語「フレグランス配合物」は、ウッディ、アンバー様香料組成物を構成成分として含有する完成したフレグランスを含意することを意図する。フレグランス配合物は、パーソナルケア製品、家庭用ケア製品、エアケア製品、および洗濯ケア製品などのあらゆる商品に心地よいまたは望ましい香気を付与するために使用されることを意図している。
【００１４】
ＫＡＲＡＮＡＬ（登録商標）の複雑な香気特徴のため、本出願人は、多大な研究後、単一の香料原料のみ、または現在香料製造者に利用可能なウッディ、アンバー様香料原料の既存のパレットから選択された香料原料の実際の組合せを使用して、ＫＡＲＡＮＡＬ（登録商標）を連想させる香気および性能を再現することができないことを発見した。代理物はその基本的なウッディ、アンバー様の特徴を有していなければならないが、それはまたＫＡＲＡＮＡＬ（登録商標）のシャープ、ラディアント、融合、バーニング効果を埋め合わせることも必要である。
【００１５】
したがって、本発明は、ＫＡＲＡＮＡＬ（登録商標）を含まないかまたは実質的に含まない、少なくとも３種、少なくとも４種、少なくとも５種、少なくとも６種、少なくとも７種、少なくとも８種、少なくとも９種、少なくとも１０種またはそれ以上の以下から選択される香料原料を含むウッディ、アンバー様香料組成物を提供する：
【００１６】
ｉ）（１’Ｒ，３Ｓ，６’Ｓ）−１−（２’，２’，６’−トリメチル−１’−シクロヘキシル）−３−ヘキサノール、（１’Ｓ，３Ｓ，６’Ｒ）−１−（２’，２’，６’−トリメチル−１’−シクロヘキシル）−３−ヘキサノールまたはこれらの任意の混合物；ならびに
オクタヒドロ−２，２，５，８，８，９ａ−ヘキサメチル−４Ｈ−４ａ，９−メタノアズレノ［５，６−ｄ］−１，３−ジオキソールの異性体または異性体の混合物、限定されるものではないがこれには（４ａＲ、５Ｒ、７ａＳ、９Ｒ）−オクタヒドロ−２，２，５，８，８，９ａ−ヘキサメチル−４Ｈ−４ａ，９−メタノアズレン［５，６−ｄ］−１，３−ジオキソールが挙げられる；２−（テトラメチルトリシクロ［６．２．１．０］ウンデカ−４／５−エン−５−イル）プロパノールの異性体または異性体の混合物；およびデカヒドロ−２，６，６，７，８，８−ヘプタメチルインデノフランの異性体または異性体の混合物からなる群から選択される少なくとも１種の第１香料原料；ならびに
【００１７】
ｉｉ）以下からなる群から選択される少なくとも１種の第２香料原料
（Ｚ）−４，１１，１１−トリメチル−８−メチレンビシクロ［７．２．０］ウンデカ−４−エン、例えばＡＣＥＴＹＬ  ＣＡＲＹＯＰＨＹＬＬＥＮＥ；３ａ，６，６，９ａ−テトラメチル−２，４，５，５ａ，７，８，９，９ｂ−オクタヒドロ−１Ｈ−ベンゾ［ｅ］［１］ベンゾフラン、例えばＡＭＢＲＯＸＡＮ、ＡＭＢＲＯＦＩＸ、ＡＭＢＲＯＸ；（エトキシメトキシ）シクロドデカン、例えばＢＯＩＳＡＭＢＲＥＮＥ  ＦＯＲＴＥ、６−（ｓｅｃ−ブチル）キノリン、例えばＢＵＴＹＬ  ＱＵＩＮＯＬＩＮＥ  ＳＥＣＯＮＤＡＲＹ；（１Ｒ，６Ｓ，８ａＳ）−６−メトキシ−１，４，４，６−テトラメチルオクタヒドロ−１Ｈ−５，８ａ−メタノアズレン、例えばＣＥＤＲＹＬ  ＭＥＴＨＹＬ  ＥＴＨＥＲ；
【００１８】
２−（ｔｅｒｔ−ペンチル）シクロヘキシルアセタート、例えばＣＯＮＩＦＥＲＡＮ；２−（２−（３，３，５−トリメチルシクロヘキシル）アセチル）シクロペンタノン、例えばＤＩＯＮＥ；（１ａＳ，２ａＲ，３Ｒ，５ａＳ，７Ｒ，７ａＲ）−オクタヒドロ−３，６，６，７ａ−テトラメチル−２Ｈ−２ａ，７−メタノズレノ５，６−ｂオキシレン、例えばＣＥＤＲＥＮＥ  ＥＰＯＸＩＤＥ；３ａ，６，６，９ａ−テトラメチルドデカヒドロナフト［２，１−ｂ］フラン、例えばＦＩＸＡＭＢＲＥＮＥ；２，４ａ，５，８ａ−テトラメチル−１，２，３，４，４ａ，７，８，８ａ−オクタヒドロナフタレン−１−イルホルマート、例えばＯＸＹＯＣＴＡＬＩＮＥ  ＦＯＲＭＡＴＥ；１−（１，２，８，８−テトラメチル−１，２，３，４，５，６，７，８−オクタヒドロナフタレン−２−イル）エタノン、例えばＧＥＯＲＧＹＷＯＯＤ；２，２，７，７−テトラメチルトリシクロ［６．２．１．０１，６］ウンデカンエタン−５−オン、例えばＩＳＯＬＯＮＧＩＦＯＬＡＮＯＮＥ；
【００１９】
（Ｚ）−３，４，５，６，６−ペンタメチルヘプタ−３−エン−２−オン、例えばＫＯＡＶＯＮＥ；３，４，５，６，６−ペンタメチルヘプタン−２−オール、例えばＫＯＨＩＮＯＯＬまたはＭＡＤＲＯＸ；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン、例えばＭＥＴＨＹＬ  ＣＥＤＲＹＬ  ＫＥＴＯＮＥ；２，４−ジメチル−２−（５，５，８，８−テトラメチル−５，６，７，８−テトラヒドロナフタレン−２−イル）−１，３−ジオキソラン、例えばＯＫＯＵＭＡＬ；２’，２’，３，７，７−ペンタメチルスピロ［ビシクロ［４．１．０］ヘプタン−２，５’−［１，３］ジオキサン］、例えばＳＰＩＲＡＭＢＲＥＮＥ；
【００２０】
立体異性体（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールまたはこれらの混合物、例えばＴＩＭＢＥＲＯＬ中にみられる；１−（（２Ｅ，５Ｚ，９Ｚ）−２，７，８−トリメチルシクロドデカ−２，５，９−トリエン−１−イル）エタノン、例えばＴＲＩＭＯＦＩＸ  Ｏ；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン、例えばＶＥＲＴＯＦＩＸ  ＣＯＥＵＲ；２−メチル−４−（５，６，６−トリメチルビシクロ［２．２．１］ヘプタ−２−イル−シクロヘキサノン、例えばＡＬＤＲＯＮＥ；１−（（２−（ｔｅｒｔ−ブチル）シクロヘキシル）オキシ）ブタン−２−オール、例えばＡＭＢＥＲ  ＣＯＲＥ；３，８，８，１１ａ−テトラメチルドデカヒドロ−１Ｈ−３，５ａ−エポキシナフト［２，１−ｃ］オキセピン、例えばＡＭＢＥＲＫＥＴＡＬ；３ａ，６，６，９ａ−テトラメチルドデカヒドロナフト［２，１−ｂ］フラン、例えばＡＭＢＲＯＦＩＸ；
【００２１】
（１Ｒ，２Ｓ，４Ｒ）−２’−イソプロピル−１，７，７−トリメチルスピロ［ビシクロ［２．２．１］ヘプタン−２，４’−［１，３］ジオキサン］、例えばＩＰＭ中のＢＥＬＡＭＢＲＥ５０％溶液；２−（ｓｅｃ−ブチル）−１−ビニルシクロヘキシルアセタート、例えばＤＩＨＹＤＲＯ  ＡＭＢＲＡＴＥ；４−（１−エトキシビニル）−３，３，５，５−テトラメチルシクロヘキサノン、例えばＫＥＰＨＡＬＩＳ；２−（ｓｅｃ−ブチル）−１−メチルシクロヘキシルアセタート、例えばＭＥＴＡＭＢＲＡＴＥ；２−メチルウンデカン酸、例えばＭＹＳＴＩＫＡＬ；２−シクロヘキシルヘプタ−１，６−ジエン−３−オン、例えばＰＨＡＲＡＯＮＥ；デカヒドロ−２，６，６，７，８，８−ヘキサメチル−２Ｈ−インデノ［４，５−ｂ］フラン、例えばＴＲＩＳＡＭＢＥＲ；およびヘキサヒドロ−１’，１’，５’，５’−テトラメチル−スピロ（１，３−ジオキソラン−２，８’（５’Ｈ）−（２Ｈ−２，４ａ）メタノナフタレン）、例えばＹＳＡＭＢＥＲ；ならびに
【００２２】
ｉｉｉ）任意に、１−（２，３，８，８−テトラメチル−１，２，３，４，５，６，７，８−オクタヒドロナフタレン−２−イル）エタノンの１種以上の立体異性体原料、例えばＩＳＯ  Ｅ  ＳＵＰＥＲ、ＩＳＯ  ＧＡＭＭＡ  ＳＵＰＥＲおよびＳＹＬＶＡＭＢＲＥＮＥからなる群から選択される第３香料原料。
【００２３】
第１香料原料オクタヒドロ−２，２，５，８，８，９ａ−ヘキサメチル−４Ｈ−４ａ，９−メタノアズレノ［５，６−ｄ］−１，３−ジオキソールは、単一の立体異性体またはそれらの任意の混合物の形態で用いてもよい。業務用のオクタヒドロ−２，２，５，８，８，９ａ−ヘキサメチル−４Ｈ−４ａ，９−メタノアズレノ［５，６−ｄ］−１，３−ジオキソールは、その商品名ＡＭＢＲＯＣＥＮＩＤＥで知られており、これはＳｙｍｒｉｓｅから、２種の品質、すなわち一般的な香料溶媒ＤＰＧまたはＴＥＣ中のＡＭＢＲＯＣＥＮＩＤＥ（登録商標）１０％溶液、およびＡＭＢＲＯＣＥＮＩＤＥ（登録商標）結晶で市販されており、これらの２種の市販形態のいずれかをオクタヒドロ−２，２，５，８，８，９ａ−ヘキサメチル−４Ｈ−４ａ，９−メタノアズレノ［５，６−ｄ］−１，３−ジオキソール源として、本発明において使用してもよい。本発明との関連において、所望の香気および性能を主として担う異性体は、（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソールであり、オクタヒドロ−２，２，５，８，８，９ａ−ヘキサメチル−４Ｈ−４ａ，９−メタノアズレノ［５，６−ｄ］−１，３−ジオキソールが用いられる場合、この異性体またはこの異性体を含む任意の混合物が用いられるのが好ましい。
【００２４】
以下の構造
【化１】
2018538411.tif 000002
を有するデカヒドロ−２，２，６，６，７，８，８−ヘプタメチルインデノフランは、複数のキラル中心を有し、単一の異性体の形態でまたは異性体の任意の混合物中に用いることができる。デカヒドロ−２，２，６，６，７，８，８−ヘプタメチルインデノフランの市販形態は商品名ＡＭＢＥＲ  ＸＴＲＥＭＥで知られており、ＩＦＦから入手できる。このブランドの質のデカヒドロ−２，２，６，６，７，８，８−ヘプタメチルインデノフランを本発明に用いてもよい。
【００２５】
以下に示される式を有する２−（テトラメチルトリシクロ［６．２．１．０］ウンデカ−４／５−エン−５−イル）プロパノールは複数のキラル中心を有し、また二重結合異性を呈し、
【化２】
2018538411.tif 000003
それ自体、その純粋な異性体のいずれかで単独で、またはその異性体の任意の組み合わせで、存在し得る。
【００２６】
２−（テトラメチルトリシクロ［６．２．１．０］ウンデカ−４／５−エン−５−イル）プロパノールは単一の異性体の形態でまたは異性体の任意の混合物中で使用してもよい。２−（テトラメチルトリシクロ［６．２．１．０］ウンデカ−４／５−エン−５−イル）プロパノールの市販の形態は、商品名ＡＭＢＥＲＭＡＸで知られており；Ｇｉｖａｕｄａｎから２種の品質、すなわちＴＥＣ中のＡＭＢＥＲＭＡＸ（登録商標）１０％溶液およびＤＯＷＡＮＯＬ  ＴＰＭ中のＡＭＢＥＲＭＡＸ（登録商標）５０％溶液、で入手可能であり、その市販の品質のいずれかを本発明において用いてもよい。
【００２７】
以下の構造
【化３】
2018538411.tif 000004
を有する１−（２’，２’，６’−トリメチル−１’−シクロヘキシル）−３−ヘキサノールは複数のキラル中心を有し、その純粋な異性体のいずれかで単独で、またはその異性体の任意の組み合わせで、存在し得る。本発明において第１原料として使用するための特に重要な原料は、（１’Ｒ，３Ｓ，６’Ｓ）−１−（２’，２’，６’−トリメチル−１’−シクロヘキシル）−３−ヘキサノールおよび（１’Ｓ，３Ｓ，６’Ｒ）−１−（２’，２’，６’−トリメチル−１’−シクロヘキシル）−３−ヘキサノール（以下に示す）およびこれらの任意の混合物である。
【化４】
2018538411.tif 000005
【００２８】
上で言及した１−（２’、２’、６’−トリメチル−１’−シクロヘキシル）−３−ヘキサノールの立体異性体は、本発明において任意の都合のよい形態、例えばＰｒｉｖｉ  Ｏｒｇａｎｉｃｓ  Ｌｔｄから購入可能なブランド材料ＮＩＭＢＥＲＯＬの形態；またはＩＦＦから購入可能なＫＡＲＭＡＷＯＯＤの形態；Ｆｉｒｍｅｎｉｃｈから入手可能なＮＯＲＬＩＭＢＡＮＯＬの形態で用いてもよい。
【００２９】
本明細書で使用する、用語「ＫＡＲＡＮＡＬ（登録商標）を含むかまたは実質的に含まない」は、ウッディ、アンバー様香料組成物がＫＡＲＡＮＡＬ（登録商標）を含有しないか、またはＫＡＲＡＮＡＬ（登録商標）を含有している場合は、ウッディ、アンバー様香料組成物の全重量の１重量％未満、およびより詳細には、０．５重量％未満、０．１重量％未満、０．０５重量％未満、０．０１重量％未満、０．００１重量％未満のレベルで存在していることを意味する。
【００３０】
本発明の一態様において、第１香料原料（単数）または原料（複数）は、ウッディ、アンバー様香料組成物の１０〜９９．８重量％、より詳細には２０〜９９．８重量％、さらにより詳細には４０〜９９．８重量％、より詳細には６０〜９９．８重量％、より詳細には８０〜９８重量％、および、より詳細にはさらに８５〜９５重量％の割合を占める。
【００３１】
本発明のウッディ、アンバー様香料組成物において、（１’Ｒ，３Ｓ，６’Ｓ）−１−（２’，２’，６’−トリメチル−１’−シクロヘキシル）−３−ヘキサノール、（１’Ｓ，３Ｓ，６’Ｒ）−１−（２’，２’，６’−トリメチル−１’−シクロヘキシル）−３−ヘキサノールまたはこれらの任意の混合物は、前記組成物の全重量に基づいて、４．５〜９０重量％、より詳細には１０〜９０重量％、より詳細には２０〜９０重量％、より詳細には４５〜９０重量％、より詳細には５５〜８５重量％、さらにより詳細には６０〜８０重量％の量で存在してもよい。
【００３２】
本発明のウッディ、アンバー様香料組成物において、ＭＢＲＯＣＥＮＩＤＥ、ＡＭＢＥＲＭＡＸおよびＡＭＢＥＲ  ＸＴＲＥＭＥの濃度の合計は、前記組成物の全重量に基づいて、０．１〜５０重量％、より詳細には１〜５０重量％、より詳細には１０〜４０重量％およびさらにより詳細には１５〜３０重量％であってもよい。
【００３３】
特に、上記で言及したレベルで用いられた場合、第１香料原料は、実質的にＫＡＲＡＮＡＬ（登録商標）のものと似たウッディ、アンバー様香気および力強い技術的な性能を組成物に提供する。さらにまた、これらの原料は、ウッディ、アンバー様香料組成物に組み込まれた場合、ＫＡＲＡＮＡＬ（登録商標）の特徴である、シャープでミネラルなファセット（a sharp, mineral facet）を組成物に導入する。
【００３４】
これゆえに、ＮＩＭＢＥＲＯＬ、ＫＡＲＭＡＷＯＯＤまたはＮＯＲＬＩＭＢＡＮＯＬ、しかし特にＮＩＭＢＥＲＯＬなどのブランド香料原料において見出される１−（２’、２’、６’−トリメチル−１’−シクロヘキシル）−３−ヘキサノールの前記異性体の組み合わせは、原料ＡＭＢＲＯＣＥＮＩＤＥの前記異性体（単数）または異性体（複数）、および特にその結晶形態または溶液の市販のＡＭＢＲＯＣＥＮＩＤＥに存在するものと組み合わせて；および／またはＡＭＢＥＲ  ＸＴＲＥＭの前記異性体（単数）または異性体（複数）との組み合わせにおいて、一緒になって、本発明の特に有用な第１香料原料成分を形成する。
【００３５】
同様に、ＮＩＭＢＥＲＯＬ、ＫＡＲＭＡＷＯＯＤまたはＮＯＲＬＩＭＢＡＮＯＬ、しかし特にＮＩＭＢＥＲＯＬなどのブランド香料原料において見出される１−（２’、２’、６’−トリメチル−１’−シクロヘキシル）−３−ヘキサノールの前記異性体の組み合わせは、原料；ＡＭＢＥＲＭＡＸの前記異性体（単数）または異性体（複数）、特に市販の形態のＡＭＢＥＲＭＡＸのとの組み合わせにおいて、一緒になって、別の本発明の特に有用な第１香料原料成分を形成する。
【００３６】
少なくとも１種の第２香料原料は、典型的には、ウッディ、アンバー様香料組成物の全重量に基づいて、０．０２〜４０重量％、より詳細には０．１〜４０重量％、より詳細には２〜２０重量％およびさらにより詳細には５〜１５重量％の量で用いられる。
【００３７】
少なくとも１種の第２香料原料は、立体異性体（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールまたはこれらの混合物、これは例えばＴＩＭＢＥＲＯＬによって提供されてもよい；３ａ，６，６，９ａ−テトラメチル−２，４，５，５ａ，７，８，９，９ｂ−オクタヒドロ−１Ｈ−ベンゾ［ｅ］［１］ベンゾフラン、例えばＡＭＢＲＯＸＡＮ、ＡＭＢＲＯＦＩＸ、ＡＭＢＲＯＸ；２，４−ジメチル−２−（５，５，８，８−テトラメチル−５，６，７，８−テトラヒドロナフタレン−２−イル）−１，３−ジオキソラン、例えばＯＫＯＵＭＡＬ；２’，２’，３，７，７−ペンタメチルスピロ［ビシクロ［４．１．０］ヘプタン−２，５’−［１，３］ジオキサン］、例えばＳＰＩＲＡＭＢＲＥＮＥ；１−（（２−（ｔｅｒｔ−ブチル）シクロヘキシル）オキシ）ブタン−２−オール、例えばＡＭＢＥＲ  ＣＯＲＥ；３，８，８，１１ａ−テトラメチルドデカヒドロ−１Ｈ−３，５ａ−エポキシナフト［２，１−ｃ］オキセピン、例えばＡＭＢＥＲＫＥＴＡＬ；２−メチルウンデカン酸、例えばＭＹＳＴＩＫＡＬ；ヘキサヒドロ−１’，１’，５’，５’−テトラメチル−スピロ（１，３−ジオキソラン−２，８’（５’Ｈ）−（２Ｈ−２，４ａ）メタノナフタレン）、例えばＹＳＡＭＢＥＲ；デカヒドロ−２，６，６，７，８，８−ヘキサメチル−２Ｈ−インデノ［４，５−ｂ］フラン、例えばＴＲＩＳＡＭＢＥＲ；および２−メチル−４−（５，６，６−トリメチルビシクロ［２．２．１］ヘプタ−２−イル−シクロヘキサノン、例えばＡＬＤＲＯＮＥから選択されてもよい。
【００３８】
本発明の一態様において、第２香料原料（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールまたはこれらの混合物の濃度の合計は、ウッディ、アンバー様香料組成物の全重量に基づいて、０．４５〜９重量％、より詳細には４．５〜９重量％、より詳細には５〜８．５重量％、およびさらにより詳細には６〜８重量％である。
【００３９】
本発明の一態様において、第２香料原料３ａ，６，６，９ａ−テトラメチル−２，４，５，５ａ，７，８，９，９ｂ−オクタヒドロ−１Ｈ−ベンゾ［ｅ］［１］ベンゾフラン、例えばＡＭＢＲＯＸＡＮ、ＡＭＢＲＯＦＩＸ、ＡＭＢＲＯＸ；２，４−ジメチル−２−（５，５，８，８−テトラメチル−５，６，７，８−テトラヒドロナフタレン−２−イル）−１，３−ジオキソラン、例えばＯＫＯＵＭＡＬ；ヘキサヒドロ−１’，１’，５’，５’−テトラメチル−スピロ（１，３−ジオキソラン−２，８’（５’Ｈ）−（２Ｈ−２，４ａ）メタノナフタレン）、２’，２’，３，７，７−ペンタメチルスピロ［ビシクロ［４．１．０］ヘプタン−２，５’−［１，３］ジオキサン］、例えばＳＰＩＲＡＭＢＲＥＮＥ；例えばＹＳＡＭＢＥＲ；デカヒドロ−２，６，６，７，８，８−ヘキサメチル−２Ｈ−インデノ［４，５−ｂ］フラン、例えばＴＲＩＳＡＭＢＥＲ；および２−メチル−４−（５，６，６−トリメチルビシクロ［２．２．１］ヘプタ−２−イル−シクロヘキサノン、例えばＡＬＤＲＯＮＥ、の濃度の合計は、ウッディ、アンバー様香料組成物の全重量に基づいて、０．０１〜３５重量％、より詳細には０．１〜３５重量％、より詳細には２〜１５重量％、さらにより詳細には３〜８重量％である。
【００４０】
本発明の一態様において、第２香料原料２−メチルウンデカン酸、例えばＭＹＳＴＩＫＡＬ；および３，８，８，１１ａ−テトラメチルドデカヒドロ−１Ｈ−３，５ａ−エポキシナフト［２，１−ｃ］オキセピン、例えばＡＭＢＥＲＫＥＴＡＬの濃度の合計は、ウッディ、アンバー様香料組成物の全重量に基づいて、０．００１〜０．１５重量％、より詳細には０．００５〜０．１５重量％、より詳細には０．０８〜０．０８重量％、およびさらにより詳細には０．０１２〜０．０２５重量％である。
【００４１】
特に上記で言及したレベルで使用する場合、組成物中に第１原料および任意の第３原料と組み合わせた場合の少なくとも１種の第２香料原料は、香料組成物全体としてＫＡＲＡＮＡＬ（登録商標）の香気ニュアンスを提供し、特にＫＡＲＡＮＡＬ（登録商標）の特徴であるドライな側面を加える。
【００４２】
本発明の一態様において、第２香料原料は、立体異性体（１’Ｓ，３Ｒ，６’Ｒ）−１−（２’，２’，６’−トリメチル−１’−シクロヘキシル）−３−ヘキサノールおよび（１’Ｒ，３Ｒ，６’Ｓ）−１−（２’，２’，６’−トリメチル−１’−シクロヘキシル）−３−ヘキサノールまたはこれらの混合物、例えばＴＩＭＢＥＲＯＬによって提供される；２−メチルウンデカン酸、例えばＭＹＳＴＩＫＡＬ；および２−メチル−４−（５，６，６−トリメチルビシクロ［２．２．１］ヘプタ−２−イル−シクロヘキサノン、例えばＡＬＤＲＯＮＥから選択され、ここで、第１香料原料（１’Ｒ，３Ｓ，６’Ｓ）−１−（２’，２’，６’−トリメチル−１’−シクロヘキシル）−３−ヘキサノールおよび（１’Ｓ，３Ｓ，６’Ｒ）−１−（２’，２’，６’−トリメチル−１’−シクロヘキシル）−３−ヘキサノールの合計に対する、２−メチル−４−（５，６，６−トリメチルビシクロ［２．２．１］ヘプタ−２−イル−シクロヘキサノンの濃度の比率は、０．０２〜０．５、より詳細には０．０３〜０．２５およびさらにより詳細には０．０５〜０．１５である。
【００４３】
任意の第３原料を用いる場合、それらを第１および第２原料に、香料製造者が達成しようとする特定の効果を考慮して任意の割合で添加し得る。
【００４４】
第３原料は、ウッディ、アンバー様香料組成物にフィラーとして使用してもよい。本明細書で使用する用語「フィラー」は、「透明な」特徴を有すると記載できる原料を指す。すなわち、その濃度に応じた香料原料の影響は、広い濃度範囲にわたって実質的に一定である。これは、当該原料を、香料組成物を支配するその香気特徴なしに、広範囲の濃度にわたって使用できることを意味する。換言すれば、比較的低濃度でのその香気特徴は、広範囲の濃度にわたって本質的に同じままである。かかる原料は、特にそれらが比較的安価な原料である場合、香料組成物中に高濃度で用いられる場合に特に有用である。
【００４５】
これに関し、ＩＳＯ  Ｅ  ＳＵＰＥＲ、ＩＳＯ  ＧＡＭＭＡ  ＳＵＰＥＲおよびＳＹＬＶＡＭＢＥＲは特に好ましいフィラーであり、ウッディ、アンバー様香料組成物の全重量に基づいて、約９０重量％まで、より詳細には５０〜９５％およびさらにより詳細には７５〜９０重量％の量で用いることができる。
【００４６】
上記の香料原料に加えて、ある種の非香料原料を本発明によるウッディ、アンバー様香料組成物に添加してもよい。有用な非香料原料には、上で記した１種以上の香料原料に対する香料キャリアが挙げられる。
【００４７】
香料キャリアは、香料原料の感覚刺激特性を実質的に変化させないか、または変化させることを意図しない材料を指す。キャリアは、液体であっても固体であってもよい。
【００４８】
液体キャリアは、界面活性剤系などの乳化系、または香料に一般に使用される溶媒、またはその両方であってもよい。当業者は、香料に使用することができる溶媒の広範なリストを認識しており、香料に一般的に使用される溶媒のタイプについての議論は、ここでは徹底的に扱うことができない。しかしながら、非限定的な例として、ジプロピレングリコール、ジエチルフタラート、イソプロピルミリスタート、ベンジルベンゾアート、２−（２−エトキシエトキシ）−ｌ−エタノール、トリ−エチルシトラート、エタノール、水／エタノール混合物、イソプロパノール、リモネンまたは他のテルペン、商標ＩＳＯＰＡＲ（登録商標）で知られているものなどのイソパラフィン、または商標ＤＯＷＡＮＯＬ（登録商標）、ＭＩＧＬＹＯＬ  ８４０で知られているものなどのグリコールエーテルおよびグリコールエーテルエステル、ならびに二塩基酸エステルなどの溶媒を挙げることができる。
【００４９】
本発明によるウッディ、アンバー様香料組成物を希釈するために用いる溶媒の量は、ウッディ、アンバー様香料組成物の全重量に基づいて、９９重量％まで、より詳細には５０重量％まで、およびさらにより詳細には３０重量％までであってもよい。
【００５０】
ある種の香料原料は、ある程度、他の香料原料を可溶化することができる。しかしながら、本発明の組成物に用いられる溶媒の量を計算する目的で、本明細書に特定的に記した香料原料、または特定的に記してはいないが当業者によって香料原料として知られているもの、またはthe good scent companyおよびleffingwellのウェブサイトなどの標準香料の参考図書からのものは、本発明の目的のための溶媒として扱われてはならない。
【００５１】
固体キャリアには、吸収ゴムまたはポリマー、または封入材料が挙げられ得る。かかる材料の例には、モノ、ジまたはトリサッカライドなどの造壁性および可塑化材料、天然または変性デンプン、親水コロイド、セルロース誘導体、ポリビニルアセタート、ポリビニルアルコール、タンパク質、ペクチン、アミノプラスト樹脂、アクリル系樹脂、ポリウレア、ポリウレタン、ならびに無機および有機材料の混合物が含まれる。香料原料のカプセル化は、当該技術分野において周知であり、例えば、噴霧乾燥、凝集またはさらに押出などの技術を用いて行ってもよいし；またはコアセルベーションおよび複合コアセルベーション技術を含めたコーティングカプセル化からなる。すべての一般的なカプセル化技術によって形成された、ポリマー、樹脂などを含めた全てのカプセル化材料は、本発明との関連においてキャリア材料として企図される。
【００５２】
本発明の香料組成物は、香料アジュバントを含有していてもよい。本明細書で使用する用語として、香料アジュバントは、色、特定の耐光性、化学的安定性などの追加で加えられる利益を組成物に付与することができる材料を指す。香料に一般的に使用されるアジュバントの性質およびタイプの詳細な説明は、当業者に周知であるため、ここでは必要とされない。
【００５３】
本発明のウッディ、アンバー様香料組成物は、少なくとも２種、より詳細には少なくとも３種、およびさらにより詳細には少なくとも４種の第１香料原料を含有していてもよく、およびこれらの第１香料原料の各組合せは、本発明のウッディ、アンバー様香料組成物における使用のために企図される。
【００５４】
本発明の一態様において、ウッディ、アンバー様香料組成物は上記の第１香料原料の混合物を、少なくとも１種、少なくとも２種または少なくとも３種の第２香料原料と一緒に含有する。
【００５５】
より詳細な態様において、ウッディ、アンバー様香料組成物は上記の第１香料原料の混合物を、以下の少なくとも１種、少なくとも２種または少なくとも３種の第２香料原料、好ましくはＡＬＤＲＯＮＥ、ＭＹＳＴＩＫＡＬ、ＯＫＯＵＭＡＬ、ＡＭＢＥＲＫＥＴＡＬ、ＡＭＢＥＲ  ＣＯＲＥ、ＴＲＩＳＡＭＢＥＲおよびＳＰＩＲＡＭＢＲＥＮＥから選択される、と組み合わせて含有する。
【００５６】
ＮＩＭＢＥＲＯＬ、ＮＯＲＬＩＭＢＡＮＯＬまたはＫＡＲＭＡＷＯＯＤと、ＡＭＢＲＯＣＥＮＩＤＥ、ＡＭＢＥＲ  ＸＴＲＥＭまたはＡＭＢＥＲＭＡＸおよびＡＬＤＲＯＮＥおよびＭＹＳＴＩＫＡＬ；またはＯＫＯＵＭＡＬおよびＡＭＢＥＲＫＥＴＡＬ；またはＡＬＤＲＯＮＥおよびＡＭＢＥＲ  ＣＯＲＥ；またはＡＬＤＲＯＮＥ、ＭＹＳＴＩＫＡＬおよびＡＭＢＥＲ  ＣＯＲＥ；またはＳＰＩＲＡＭＢＲＥＮＥ；またはＴＲＩＳＡＭＢＥＲとの組み合わせは、本発明との関連において有用である。
【００５７】
詳細なウッディ、アンバー様香料組成物は第１および第２原料として、ＮＩＭＢＥＲＯＬ、ＡＭＢＥＲＭＡＸ、ＳＰＩＲＡＭＢＲＥＮＥおよび溶媒、例えばＤＰＧを、上記で言及した量で用いる。
【００５８】
別の詳細なウッディ、アンバー様香料組成物は第１および第２原料として、ＮＩＭＢＥＲＯＬ、ＡＭＢＥＲＭＡＸ１０％、ＡＭＢＲＯＣＥＮＩＤＥ１０％またはより好ましくはＡＭＢＲＯＣＥＮＩＤＥ結晶、ＭＹＳＴＩＣＡＬ、ＡＬＤＲＯＮＥおよびＡＭＢＥＲ  ＸＴＲＥＭＥおよび溶媒、例えばＤＰＧ、および／またはフィラー、例えばＩＳＯ  Ｅ  ＳＵＰＥＲを、上記で言及した量で用いる。
【００５９】
別の詳細なウッディ、アンバー様香料組成物は第１および第２原料として、ＡＭＢＥＲＭＡＸ１０％、ＡＭＢＲＯＣＥＮＩＤＥ結晶、ＭＹＳＴＩＣＡＬ、ＩＳＯ  Ｅ  ＳＵＰＥＲ、ＰＨＡＲＡＯＮＥ１０％、ＡＬＤＲＯＮＥおよびＡＭＢＥＲ  ＸＴＲＥＭＥおよび溶媒、例えばＤＰＧ、および／またはフィラー、例えばＩＳＯ  Ｅ  ＳＵＰＥＲを、上記で言及した量で用いる。
【００６０】
別の詳細なウッディ、アンバー様香料組成物は第１および第２原料として、ＮＩＭＢＥＲＯＬ、ＡＭＢＥＲＭＡＸ１０％、ＡＭＢＲＯＣＥＮＩＤＥ結晶、ＯＫＵＭＡＬおよび溶媒、例えばＤＰＧ、および／またはフィラー、例えばＩＳＯ  Ｅ  ＳＵＰＥＲを、上記で言及した量で用いる。
【００６１】
別の詳細なウッディ、アンバー様香料組成物は第１および第２原料として、ＮＩＭＢＥＲＯＬ、ＡＭＢＥＲＭＡＸ１０％、ＡＭＢＲＯＣＥＮＩＤＥ結晶、ＴＲＩＳＡＭＢＥＲおよび溶媒、例えばＤＰＧ、および／またはフィラー、例えばＩＳＯ  Ｅ  ＳＵＰＥＲを、上記で言及した量で用いる。
【００６２】
別の詳細なウッディ、アンバー様香料組成物は第１および第２原料として、ＮＩＭＢＥＲＯＬ、ＡＭＢＥＲＭＡＸ１０％、ＡＭＢＲＯＣＥＮＩＤＥ結晶、ＡＭＢＥＲ  ＣＯＲＥよび溶媒、例えばＤＰＧ、および／またはフィラー、例えばＩＳＯ  Ｅ  ＳＵＰＥＲを、上記で言及した量で用いる。
【００６３】
ウッディ、アンバー様香料組成物とＫＡＲＡＮＡＬ（登録商標）を並べて比較すると、香料製造者は快楽的特徴と性能の両方の点からどれほど似ているかについて述べている。これは、一般的な嗅覚の特徴を提供する第１香料原料も、香気ニュアンスを提供する第２香料原料も、ＫＡＲＡＮＡＬ（登録商標）の匂いプロファイルに極めて類似していないことを考慮すると、驚くべきことである。しかし、本明細書に記載された方法で組み合わせると、原料は一緒に作用して、ＫＡＲＡＮＡＬ（登録商標）の知覚を提供する。
【００６４】
したがって、ウッディ、アンバー様香料組成物は、ファイン香料または技術的な香料において、消費者製品に付香するために直接使用することができるが、それは最終的なフレグランス配合物において、ＫＡＲＡＮＡＬ（登録商標）に代わる成分として使用されることを主に意図している。このように、ＫＡＲＡＮＡＬ（登録商標）が通常用いられるであろうレベルでフレグランス配合物中の成分として使用されてもよい。
【００６５】
したがって、本発明は別のその側面において、本明細書において定義されるとおりのウッディ、アンバー様香料組成物を含むフレグランス配合物を提供する。
【００６６】
詳細な態様において、フレグランス配合物は本明細書において定義されるとおりのウッディ、アンバー様香料組成物を、フレグランス配合物の全重量に基づいて、０．０５〜２０重量％、より詳細には０．１〜１０重量％、より詳細には０．２５〜７．５重量％およびさらにより詳細には０．５〜５重量％の量で含む。
【００６７】
ウッディ、アンバー様香料組成物をフレグランス配合物における成分として使用することを意図する場合、それは香料ベースと混合される。
本明細書で使用する用語として、香料ベースは、香料共原料の混合物を指し、それらのいずれも上記で言及した第１、第２または任意の第３原料ではない。
【００６８】
香料共原料は、熟練した香料製造者によって認識されるその重要な機能が、フレグランス配合物の香気を、ポジティブな、心地よいまたは所望される方法で付与または改変する原料である。いずれの場合にも網羅的ではないであろう、ベースに存在する付香共原料の性質およびタイプは、ここではより詳細な説明を必要とせず、当業者は、彼または彼女の一般的な知識に基づいて、および目的とする使用または用途および所望の感覚刺激効果に応じて変化させることができる。一般的に言えば、これらの香料共原料は、アルコール、ラクトン、アルデヒド、ケトン、エステル、エーテル、アセテート、ニトリル、テルペノイド、含窒素または亜硫酸複素環化合物および精油と同様に多様な化合物のクラスに属し、および前記香料共原料は、天然または合成起源のものであることができる。これらの共原料の多くは、いずれの場合にもS. Arctander, Perfume and Flavor Chemicals, 1969, Montclair, New Jersey, USAまたはそのより新しい版、または同様の性質の他の著作物、例えばthegoodscentcompany.comおよびleffingwellウェブサイトなど、ならびに香料の分野における豊富な特許文献に列挙されている。
【００６９】
前記香料共原料はまた、それ自体は香料原料として認識されないが、光または熱または化学的相互作用などの外部の刺激の影響下で分解し香料共原料を放出する香料前駆体などの種々のタイプの付香化合物を、制御された様式で放出することが知られている化合物であってもよいことが理解される。
【００７０】
本発明によるウッディ、アンバー様香料組成物は、ウッディ、シプレー（chypre）、フージェール（シダ）、シトラス、マリン、レザー、スパイシー、フローラル、フルーティー、スイート−グルマン香気を付与することを意図するフレグランス配合物における使用に特に好適である。
【００７１】
詳細な態様において、フレグランス配合物は本明細書において上で記載したとおり、ウッディ、アンバー様香料組成物を、１種以上の以下から選択される香料共原料と混合することによって調製される、ヘキシルアセタート、例えばＡＧＡＲ  ＷＯＯＤ；ＡＫＩＧＡＬＡＷＯＯＤ、ＡＭＹＲＩＳ  ＡＣＥＴＡＴＥ；（１  １，１，２，３，３−ペンタメチル−２，３，６，７−テトラヒドロ−１Ｈ−インデン−４（５Ｈ）−オン、例えばＣＡＳＨＭＥＲＡＮ；（４Ｚ，８Ｚ）−１，５，９−トリメチル−１３−オキサビシクロ［１０．１．０］トリデカ−４，８−ジエン、例えばＣＥＤＲＯＸＹＤＥ；Ｓ，６Ｒ，８ａＲ）−１，４，４，６−テトラメチルオクタヒドロ−１Ｈ−５，８ａ−メタノアズレン−６−イルアセタート、例えばＣＥＤＲＹＬ  ＡＣＥＴＡＴＥ、ＣＥＤＲＹＬ  ＡＣＥＴＡＴＥ  ＥＯＡおよびＣＥＤＲＹＬ  ＡＣＥＴＡＴＥ  ＬＩＱＵＩＤ；２−（３，８−ジメチル−１，２，３，４，５，６，７，８−オクタヒドロアズレン−５−イル）プロパン−２−イルアセタート、例えばＧＵＡＩＹＬ  ＡＣＥＴＡＴＥ；（２−メトキシ−４−プロパ−１−エニルフェニル）アセタート、例えばＩＳＯＣＡＲＹＯＬ  ＡＣＥＴＡＴＥ；（４，８−ジメチル−２−プロパン−２−イリデン−３，３ａ，４，５，６，８ａ−ヘキサヒドロ−１Ｈ−アズレン−６−イル）アセタート、例えばＶＥＴＩＶＥＲＹＬ  ＡＣＥＴＡＴＥ、ＶＥＴＩＶＥＲＹＬ  ＡＣＥＴＡＴＥ  １１２  ＥＸＴＲＡ、ＶＥＴＩＶＥＲＹＬおよびＡＣＥＴＡＴＥ  ＨＡＩＴＩ  ＰＵＲＥ；
【００７２】
Ｎ−エチル−Ｎ−（ｍ−トリル）プロピオンアミド、例えばＡＧＡＲＢＯＩＳ；ＡＭＹＲＩＳ  ＯＩＬ  ＤＯＭＩＮＩＣＡＮ  ＲＥＰＵＢＬＩＣ；ＣＯＰＡＨＵ  ＯＩＬ；ＣＥＤＡＲＷＯＯＤ  ＯＩＬ  ＡＴＬＡＳ  ＯＲＰＵＲ  ＣＯＳＭＯＳ；ＣＥＤＡＲＷＯＯＤ  ＯＩＬ  ＣＨＩＮＡ；ＣＥＤＡＲＷＯＯＤ  ＯＩＬ  ＲＥＣＴＩＦＩＥＤ；ＣＥＤＡＲＷＯＯＤ  ＯＩＬ  ＴＥＸＡＳ  ＦＲＡＣＴＩＯＮ  ＣＯＳＭＯＳ；ＣＥＤＡＲＷＯＯＤ  ＯＩＬ  ＴＥＸＡＳ  ＲＥＣＴＩＦＩＥＤ  ＣＯＳＭＯＳ；ＣＥＤＡＲＷＯＯＤ  ＯＩＬ  ＴＥＸＡＳ  ＬＩＧＨＴ  ＰＵＲＥ；ＣＥＤＡＲＷＯＯＤ  ＯＩＬ  ＵＳＡ  ＶＩＲＧＩＮＩＡ  ＴＹＰＥ  ＯＲＰＵＲ；ＯＡＫＷＯＯＤ  ＥＸＴＲＡＣＴ  ＣＯ２／ＥＴＨＡＮＯＬ；ＧＵＡＩＡＣＷＯＯＤ  ＯＩＬ  ＰＡＲＡＧＵＡＹ；ＧＵＡＩＡＣＷＯＯＤ  ＯＩＬ  ＳＲ；  ＳＡＮＤＡＬＷＯＯＤ  ７７１２５／Ｄ；ＳＡＮＤＡＬＷＯＯＤ  ＯＩＬ  ＡＵＳＴＲＡＬＩＡ  ＩＮＤＩＧＥＮＯＵＳ；ＳＡＮＤＡＬＷＯＯＤ  ＯＩＬ  ＡＵＳＴＲＡＬＩＡ  ＳＤ  ＣＯＳＭＯＳ；（１Ｓ，２Ｒ，５Ｒ）−２−エトキシ−２，６，６−トリメチル−９−メチレンビシクロ［３．３．１］ノナン、例えばＢＯＩＳＩＲＩＳ；ＢＩＲＣＨ  ＴＡＲ  ＯＩＬ  ＲＥＣＴＩＦＩＥＤ；ＣＡＢＲＥＵＶＡ  ＯＩＬ  ＰＡＲＡＧＵＡＹ；（１Ｓ，４Ｒ）−２，２−ジメチル−３−メチレンビシクロ［２．２．１］ヘプタン、例えばＣＡＭＰＨＥＮＥ；（１Ｓ，８ａＲ）−１，４，４，６−テトラメチル−２，３，３ａ，４，５，８−ヘキサヒドロ−１Ｈ−５，８ａ−メタノアズレン、例えばＣＥＤＲＥＮＥ  ＷＡＳＨＥＤ；（（１Ｓ，８ａＲ）−１，４，４−トリメチル−２，３，３ａ，４，５，８−ヘキサヒドロ−１Ｈ−５，８ａ−メタノアズレン−６−イル）メタノール、例えばＣＥＤＲＥＮＯＬ；（１Ｓ，６Ｒ，８ａＲ）−１，４，４，６−テトラメチルオクタヒドロ−１Ｈ−５，８ａ−メタノアズレン−６−オール、例えばＣＥＤＲＯＬ  ＣＲＹＳＴＡＬＳ  ＥＸＴＲＡ；ＣＩＳＴＵＳ  ＯＩＬ  ＳＰＡＩＮ  ＯＲＰＵＲ；ＣＹＰＲＥＳＳ  ＯＩＬ  ＦＲＡＮＣＥ  ＯＲＰＵＲ  ＣＯＳＭＯＳ；ＣＹＰＲＥＳＳ  ＯＩＬ  ＳＰＡＩＮ；ＣＹＰＲＩＯＬ  ＯＩＬ  ＩＮＤＩＡ；
【００７３】
（Ｅ）−３−メチル−５−（２，２，３−トリメチルシクロペンタ−３−エン−１−イル）ペンタ−４−エン−２−オール、例えばＥＢＡＮＯＬ；ＯＬＩＢＡＮＵＭ  ＢＡＵＭＡＲＯＭＥ  ＳＴＤ；ＯＬＩＢＡＮＵＭ  ＨＹＰＥＲＥＳＳＥＮＣＥ；ＯＬＩＢＡＮＵＭ  ＯＤＯＲＥＳＩＮ；メチル２，４−ジヒドロキシ−３，６−ジメチルベンゾアート、例えばＥＶＥＲＮＹＬ；４，４，８，８−テトラメチルオクタヒドロ−４ａ，７−メタノナフト［１，８ａ−ｂ］オキシレン、例えばＦＯＬＥＮＯＸ；１，２，３，４，４ａ，５，６，７，８，８ａ−デカヒドロナフタレン−２−イルホルマート、例えばＤＥＣＡＨＹＤＲＯ  ＮＡＰＨＴＹＬ  ＦＯＲＭＡＴＥ  ＢＥＴＡ；３ａ−エチル−６，６，９ａ−トリメチルドデカヒドロナフト［１，２−ｃ］フラン、例えばＧＲＩＳＡＬＶＡ；ＧＵＡＩＡＣＷＯＯＤ  （ＰＨＥＮＯＬ  ＦＲＥＥ）  ＰＵＲＥ；ＧＵＲＪＵＮ  ＢＡＬＳＡＭ  ＯＩＬ  ＬＩＧＨＴ；ＩＯＮＡＮＴＨＥＭＥ  １００％；
【００７４】
（Ｅ）−３−メチル−４−（２，６，６−トリメチルシクロヘキサ−２−エン−１−イル）ブタ−３−エン−２−オン、例えばＩＲＩＳＡＮＴＨＥＭＥ；（Ｅ）−４−（２，５，６，６−テトラメチル−１−シクロヘキサ−２−エニル）ブタ−３−エン−２−オン、例えばＩＲＯＮＡＬ；（Ｅ）−３−メチル−４−（２，６，６−トリメチルシクロヘキサ−２−エン−１−イル）ブタ−３−エン−２−オン、例えばＩＳＯＲＡＬＤＥＩＮＥ  ＣＥＴＯＮＥ  ＡＬＰＨＡ；（１−メチル−２−（（１，２，２−トリメチルビシクロ［３．１．０］ヘキサン−３−イル）メチル）シクロプロピル）メタノール、例えばＪＡＶＡＮＯＬ；ＬＡＢＤＡＮＵＭ  ＬＡＲＥＸＴＲＡＣＴ  ＣＯＬＯＵＲＬＥＳＳ；ＭＥＴＨＹＬ  ＩＯＮＯＮＥ  ＧＡＭＭＡ  ＰＵＲＥ  ＴＥＣＨ；ＯＰＯＰＯＮＡＸ  ＢＡＵＭＡＲＯＭＥ  ５４  ７５０４；３−メトキシ−５−メチルフェノール、例えばＯＲＣＩＮＹＬ  ３；４−（ｔｅｒｔ−ペンチル）シクロヘキサノン、例えばＯＲＩＶＯＮＥ；７−メトキシ−３，７−ジメチルオクタン−２−オール、例えばＯＳＹＲＯＬ；４−（ｔｅｒｔ−ブチル）シクロヘキサノール、例えばＰＡＲＡ  ＴＥＲＴ  ＢＵＴＹＬ  ＣＹＣＬＯＨＥＸＡＮＯＬ；４−（ｔｅｒｔ−ブチル）シクロヘキサノン、例えばＰＡＲＡ  ＴＥＲＴ  ＢＵＴＹＬ  ＣＹＣＬＯＨＥＸＡＮＯＮＥ；
【００７５】
（１−メチル−２−（（（１Ｒ，３Ｒ）−２，２，３−トリメチルシクロペンチル）メチル）シクロプロピル）メタノール、例えばＰＡＳＨＭＩＮＯＬ；ＰＡＴＣＨＯＵＬＩ  ＡＢＳ；ＰＡＴＣＨＯＵＬＩ  ＤＭ  ＰＵＲ；ＰＡＴＣＨＯＵＬＩ  ＯＩＬ  ＣＯＬＯＲＬＥＳＳ  ＩＮＤＯＮＥＳＩＡ；ＰＡＴＣＨＯＵＬＩ  ＯＩＬ  ＩＮＤＯＮＥＳＩＡ；ＰＡＴＣＨＯＵＬＩ  ＯＩＬ  ＩＲＯＮＦＲＥＥ  ＩＮＤＯＮＥＳＩＡ  ＣＯＳＭＯＳ；ＰＡＴＣＨＯＵＬＩ  ＯＩＬ  ＬＩＭＯＮＥＮＥ−ＦＲＥＥ；３，７−ジメチルオクタ−１，６−ジエン−３−イルジメチルカルバマート、例えばＰＥＰＰＥＲＷＯＯＤ；（８ａＲ）−４，４，８，８−テトラメチルヘキサヒドロ−１Ｈ−３，８ａ−メタノナフタレン−５（６Ｈ）−オン、例えばＰＩＣＯＮＩＡ；ＰＩＮＥ  ＡＢＳＯＬＵＴＥ  ＣＯＬＯＲＬＥＳＳ；（Ｅ）−３，３−ジメチル−５−（２，２，３−トリメチル−３−シクロペンテン−１−イル）−４−ペンテン−２−オール、例えばＰＯＬＹＳＡＮＴＯＬ；（Ｅ）−２−エチル−４−（２，２，３−トリメチルシクロペンタ−３−エン−１−イル）ブタ−２−エン−１−オール、例えばＲＡＤＪＡＮＯＬおよびＲＡＤＪＡＮＯＬ  ＳＵＰＥＲ；３−メチル−５−（２，２，３−トリメチルシクロペンタ−３−エン−１−イル）ペンタン−２−オール、例えばＳＡＮＤＡＬＯＲＥ  ＥＸＴＲＡ；３−（（１Ｒ，２Ｓ，４Ｒ，６Ｒ）−５，５，６−トリメチルビシクロ［２．２．１］ヘプタン−２−イル）シクロヘキサノール、例えばＳＡＮＤＥＬＡ  ＣＯＮＣＥＮＴＲＡＴＥＤ；４，５，６，７，８，９，１０，１１，１２，１３−デカヒドロシクロドデカ［ｄ］オキサゾール、例えばＳＣＬＡＲＥＮＥ  ５０％／ＴＥＣ；ＳＹＬＶＥＮＥ；ＴＥＡＫ  ＢＡＳＥ；（５Ｒ，６Ｒ）−６，１０−ジメチル−３−プロパン−２−イリデンスピロ［４．５］デカ−９−エン−８−オール、例えばＶＥＴＩＶＥＮＯＬ；ＶＥＴＩＶＥＲ  ＣＯ２  ＰＵＲＥ；ＶＥＴＩＶＥＲ  ＥＣＯ  ＥＳＳＥＮＣＥ  ＩＦＲＡ；ＶＥＴＩＶＥＲ  ＯＩＬ  ＤＭ；ＶＥＴＩＶＥＲ  ＯＩＬ  ＨＡＩＴＩ  ＯＲＰＵＲ  ＯＲＧＡＮＩＣ  ＣＯＳＭＯＳ；ＶＥＴＩＶＥＲ  ＯＩＬ  ＨＡＩＴＩ  ＤＲＩＥＤ  ＦＩＬＴＥＲＥＤ；ＶＥＴＩＶＥＲ  ＯＩＬ  ＰＵＲＥ；ＶＥＴＩＶＥＲ  ＦＲＡＣＴＩＯＮ  ＨＡＩＴＩ  ＯＲＰＵＲ；
【００７６】
（２Ｒ，５Ｒ，８Ｓ）−４，４，８−トリメチルトリシクロ［６．３．１．０２，５］ドデカン−１−イルアセタート、例えばＶＥＴＹＮＡＬおよびＶＥＴＹＮＡＬ  ＥＸＴＲＡ；ＶＥＴＹＲＩＳＩＡ；ＶＥＴＹＳＡＮＴＡＬ  ３５５９Ｐ；［（３Ｚ）−４，１１，１１−トリメチル−８−メチリデン−５−ビシクロ［７．２．０］ウンデカ−３−エニル］アセタート、例えばＶＥＴＩＶＥＮＡＬ；（５Ｒ，６Ｒ）−６，１０−ジメチル−３−プロパン−２−イリデンスピロ［４．５］デカ−９−エン−８−オーと４，８−ジメチル−２−プロパン−２−イリデン−３，３ａ，４，５，６，８ａ−ヘキサヒドロ−１Ｈ−アズレン−６−オールとの混合物ＶＥＴＩＶＥＲＯＬ；ＡＭＢＲＡＩＮ；ＡＭＢＲＡＲＯＭＥ  ＡＢＳＯＬＵ；ＡＭＢＲＥＩＮＥ  ＮＡＯＨ；ＡＭＢＲＥＩＮＥ  ＰＵＲＥ；ＡＭＢＲＥＩＮＯＬ；ＴＯＬＵ  ＢＡＬＳＡＭ  ＲＥＳＩＮＯＩＤ  ＷＡＳＨＥＤ；ＢＬＡＣＫ  ＡＧＡＲ  ＧＩＶＣＯ  ２１５；ＣＩＳＴＡＭＢＲＡＬ；ＣＩＳＴＵＳ  ＡＢＳＯＬＵＴＥ  ＳＢ  ＳＰＡＩＮ；ＣＩＳＴＵＳ  ＢＩＯＡＢＳＯＬＵＥ；ＣＩＳＴＵＳ  ＬＡＢＤＡＮＵＭ  ＳＢ  ＳＰＡＩＮ；ＤＹＮＡＭＯＮＥ  ＳＢ；ＯＬＩＢＡＮＵＭ  ＲＥＳＩＮＯＩＤ  ＷＡＳＨＥＤ  ＳＢ  ５０％／ＤＰＧ；ＧＲＩＳＡＭＢＲＯＬ  Ｄ  ９４７１７３；ＨＹＤＲＯＣＡＲＢＯＲＥＳＩＮＥ  ＳＢ；ＬＡＢＤＡＮＵＭ  ＲＥＳＩＮＯＩＤＥ  ＬＧ；ＭＡＤＲＡＮＯＬ；およびＴＯＮＫＡ  ＲＯＡＳＴＥＤ  ＡＢＳ  ３０％／ＥＴＨ  ＯＲＧＡＮＩＣ  ＣＯＳＭＯＳ；ＡＣＥＴＡＴＥ  Ｃ  ６  ＨＥＸＹＬＩＣ；
【００７７】
（Ｅ）−２−メトキシ−４−（プロパ−１−エン−１−イル）フェニルアセタート、例えばＡＣＥＴＹＬ  ＩＳＯＥＵＧＥＮＯＬ  ＣＲＹＳＴＡＬＳ；２，６，１０−トリメチルウンデカ−９−エナール、例えばＡＤＯＸＡＬ；２−（ｔｅｒｔ−ブチル）シクロヘキシルアセタート、例えばＡＧＲＵＭＥＸ；デカナール、例えばＡＬＤＥＨＹＤＥ  Ｃ  １０  ＤＥＣＹＬＩＣ；ウンデカ−１０−エナール、例えばＡＬＤＥＨＹＤＥ  Ｃ  １１  ＵＮＤＥＣＹＬＥＮＩＣ；ドデカナール、例えばＡＬＤＥＨＹＤＥ  Ｃ  １２  ＬＡＵＲＩＣ；２−メチルウンデカナール、例えばＡＬＤＥＨＹＤＥ  Ｃ  １２  ＭＮＡ  ＰＵＲＥ；（Ｅ）−ウンデカ−９−エナール、例えばＡＬＤＥＨＹＤＥ  ＩＳＯ  Ｃ  １１；アリル２−（イソペンチルオキシ）アセタート、例えばＡＬＬＹＬ  ＡＭＹＬ  ＧＬＹＣＯＬＡＴＥ；アリル３−シクロヘキシルプロピオナート、例えば  ＡＬＬＹＬ  ＣＹＣＬＯＨＥＸＹＬ  ＰＲＯＰＩＯＮＡＴＥ；アリルヘプタノアート、例えばＡＬＬＹＬ  ＯＥＮＡＮＴＨＡＴＥ；（Ｚ）−オキサシクロヘプタデカ−１０−エン−２−オン、例えばＡＭＢＲＥＴＴＯＬＩＤＥ；ペンチル２−ヒドロキシベンゾアート、例えばＡＭＹＬ  ＳＡＬＩＣＹＬＡＴＥ；４−メトキシベンズアルデヒド、例えばＡＵＢＥＰＩＮＥ  ＰＡＲＡ  ＣＲＥＳＯＬ；ベンズアルデヒド、例えばＢＥＮＺＡＬＤＥＨＹＤＥ；
【００７８】
ベンジルアセタート、例えばＢＥＮＺＹＬ  ＡＣＥＴＡＴＥ  ＥＸＴＲＡ；ベンジルベンゾアート、例えばＢＥＮＺＹＬ  ＢＥＮＺＯＡＴＥ；ベンジル２−ヒドロキシベンゾアート、例えばＢＥＮＺＹＬ  ＳＡＬＩＣＹＬＡＴＥ；（２Ｓ，４Ｓ）−１，７，７−トリメチルビシクロ［２．２．１］ヘプタン−２−イルアセタート、例えばＢＯＲＮＹＬ  ＡＣＥＴＡＴＥ  ＬＩＱＵＩＤ；３−（４−（ｔｅｒｔ−ブチル）フェニル）プロパナール、例えばＢＯＵＲＧＥＯＮＡＬ  Ｔ；７−メチル−２Ｈ−ベンゾ［ｂ］［１，４］ジオキセピン−３（４Ｈ）−オン、例えばＣＡＬＯＮＥ  １９５１；（Ｅ）−３−フェニルプロパ−２−エン−１−オール、例えばＣＩＮＮＡＭＩＣ  ＡＬＣＯＨＯＬ  ＳＹＮＴＨＥＴＩＣ；（Ｅ）−３，７−ジメチルオクタ−２，６−ジエナール、例えばＣＩＴＲＡＬ  ＬＥＭＡＲＯＭＥ  Ｎ；３，７−ジメチルオクタ−６−エン−１−オール、例えばＣＩＴＲＯＮＥＬＬＯＬ  ＥＸＴＲＡ；３，７−ジメチルオクタ−６−エン−１−イルアセタート、例えばＣＩＴＲＯＮＥＬＬＹＬ  ＡＣＥＴＡＴＥ；２Ｈ−クロメン−２−オン、例えばＣＯＵＭＡＲＩＮ  ＰＵＲＥ  ＣＲＹＳＴＡＬＳ；１−メトキシ−４−メチルベンゼン、例えばＣＲＥＳＹＬ  ＭＥＴＨＹＬ  ＥＴＨＥＲ  ＰＡＲＡ；
【００７９】
２，４−ジメチルシクロヘキサ−３−エンカルバルデヒド、例えばＣＹＣＬＡＬ  Ｃ；３−（４−イソプロピルフェニル）−２−メチルプロパナール、例えばＣＹＣＬＡＭＥＮ  ＡＬＤＥＨＹＤＥ  ＥＸＴＲＡ；アリル２−（シクロヘキシルオキシ）アセタート、例えばＣＹＣＬＯＧＡＬＢＡＮＡＴＥ；４−（４−ヒドロキシ−４−メチルペンチル）シクロヘキサ−３−エンカルバルデヒド、例えばＣＹＣＬＯＨＥＸＡＬ；（Ｅ）−１−（２，６，６−トリメチルシクロヘキサ−１，３−ジエン−１−イル）ブタ−２−エン−１−オン、例えばＤＡＭＡＳＣＥＮＯＮＥ；（Ｅ）−１−（２，６，６−トリメチルシクロヘキサ−２−エン−１−イル）ブタ−２−エン−１−オン、例えばＤＡＭＡＳＣＯＮＥ  ＡＬＰＨＡ；（Ｅ）−１−（２，６，６−トリメチルシクロヘキサ−１−エン−１−イル）ブタ−２−エン−１−オン、例えばＤＡＭＡＳＣＯＮＥ  ＢＥＴＡ；（Ｅ）−１−（２，６，６−トリメチルシクロヘキサ−３−エン−１−イル）ブタ−２−エン−１−オン、例えばＤＡＭＡＳＣＯＮＥ  ＤＥＬＴＡ；５−ヘキシルオキソラン−２−オン、例えばＤＥＣＡＬＡＣＴＯＮＥ  ＧＡＭＭＡ；シクロペンタデカノン、例えばＤＩＨＹＤＲＯ  ＭＹＲＣＥＮＯＬ；
【００８０】
２−メチル−１−フェニルプロパン−２−イルアセタート、例えばＤＩＭＥＴＨＹＬ  ＢＥＮＺＹＬ  ＣＡＲＢＩＮＹＬ  ＡＣＥＴＡＴＥ；オキシジベンゼン、例えばＤＩＰＨＥＮＹＬ  ＯＸＩＤＥ；エチルブタノアート、例えばＥＴＨＹＬ  ＢＵＴＹＲＡＴＥ；（Ｅ）−３，７−ジメチルノナ−１，６−ジエン−３−オール、例えばＥＴＨＹＬ  ＬＩＮＡＬＯＯＬ；２−エチル−３−ヒドロキシ−４Ｈ−ピラン−４−オン、例えばＥＴＨＹＬ  ＭＡＬＴＯＬ；エチル２−メチルブタノアート、例えばＥＴＨＹＬ  ＭＥＴＨＹＬ−２−ＢＵＴＹＲＡＴＥ；３−エトキシ−４−ヒドロキシベンズアルデヒド、例えばＥＴＨＹＬ  ＶＡＮＩＬＬＩＮ；１，４−ジオキサシクロヘプタデカン−５，１７−ジオン、例えばＥＴＨＹＬＥＮＥ  ＢＲＡＳＳＹＬＡＴＥ；ドデカナール、例えばＥＵＧＥＮＯＬ  ＰＵＲＥ  ＣＯＳＭＯＳ；４−アリル−２−メトキシフェノール、例えばＥＵＧＥＮＯＬ  ＲＥＣＴＩＦＩＥＤ；３−（４−メトキシフェニル）−２−メチルプロパナール、例えばＦＥＮＮＡＬＤＥＨＹＤＥ；１−（３，５，５，６，８，８−ヘキサメチル−５，６，７，８−テトラヒドロナフタレン−２−イル）エタノン、例えばＦＩＸＯＬＩＤＥ；３−（４−エチルフェニル）−２，２−ジメチルプロパナール、例えばＦＬＯＲＡＬＯＺＯＮＥ；３−（３−イソプロピルフェニル）ブタナール、例えばＦＬＯＲＨＹＤＲＡＬ；
【００８１】
（３ａＲ，６Ｓ，７ａＳ）−３ａ，４，５，６，７，７ａ−ヘキサヒドロ−１Ｈ−４，７−メタノインデン−６−イルプロピオナート、例えばＦＬＯＲＯＣＹＣＬＥＮＥ；テトラヒドロ−４−メチル−２−（２−メチルプロピル）−２Ｈ−ピラン−４−オール、例えばＦＬＯＲＯＳＡ；テトラヒドロ−４−メチル−２−（２−メチルプロピル）−２Ｈ−ピラン−４−オール、例えばＦＬＯＲＯＳＡ  ＨＣ；４，６，６，７，８，８−ヘキサメチル−１，３，４，６，７，８−ヘキサヒドロシクロペンタ［ｇ］イソクロメン、例えばＧＡＬＡＸＯＬＩＤＥ；１−（５，５−ジメチルシクロヘキサ−１−エン−１−イル）ペンタ−４−エン−１−オン、例えばＧＡＬＢＡＮＯＮＥ  １０；、例えばＧＡＲＤＥＮＯＬ；（Ｅ）−３，７−ジメチルオクタ−２，６−ジエン−１−オール、例えばＧＥＲＡＮＩＯＬ  ９８０；（Ｅ）−３，７−ジメチルオクタ−２，６−ジエン−１−オール、例えばＧＥＲＡＮＩＯＬ  ＩＮＴＥＲＭＥＤＩＡＴＥ  ６０；（Ｅ）−３，７−ジメチルオクタ−２，６−ジエン−１−イルアセタート、例えばＧＥＲＡＮＹＬ  ＡＣＥＴＡＴＥ  ＳＹＮＴＨＥＴＩＣ；（Ｅ）−オキサシクロヘキサデカ−１２−エン−２−オン、例えばＨＡＢＡＮＯＬＩＤＥ；メチル３−オキソ−２−ペンチルシクロペンタンアセタート、例えばＨＥＤＩＯＮＥ；ベンゾ［ｄ］［１，３］ジオキソール−５−カルバルデヒド、例えばＨＥＬＩＯＴＲＯＰＩＮＥ  ＣＲＹＳＴＡＬＳ；（Ｚ）−ヘキサ−３−エン−１−オール、例えばＨＥＸＥＮＯＬ−３−ＣＩＳ；（Ｚ）−ヘキサ−３−エン−１−イルアセタート、例えばＨＥＸＥＮＹＬ−３−ＣＩＳ  ＡＣＥＴＡＴＥ；
【００８２】
（Ｚ）−ヘキサ−３−エン−１−イル２−ヒドロキシベンゾアート、例えばＨＥＸＥＮＹＬ−３−ＣＩＳ  ＳＡＬＩＣＹＬＡＴＥ；（Ｅ）−２−ベンジリデンオクタナール、例えばＨＥＸＹＬ  ＣＩＮＮＡＭＩＣ  ＡＬＤＥＨＹＤＥ；ヘキシル２−ヒドロキシベンゾアート、例えばＨＥＸＹＬ  ＳＡＬＩＣＹＬＡＴＥ；７−ヒドロキシ−３，７−ジメチルオクタナール、例えばＨＹＤＲＯＸＹＣＩＴＲＯＮＥＬＬＡＬ  ＳＹＮＴＨＥＴＩＣ；１Ｈ−インドール、例えばＩＮＤＯＬＥ  ＰＵＲＥ；（Ｅ）−４−（２，６，６−トリメチルシクロヘキサ−１−エン−１−イル）ブタ−３−エン−２−オン、例えばＩＯＮＯＮＥ  ＢＥＴＡ；１−（２，３，８，８−テトラメチル−１，２，３，４，５，６，７，８−オクタヒドロナフタレン−２−イル）エタノン、例えばＩＳＯ  Ｅ  ＳＵＰＥＲ；イソペンチルアセタート、例えばＩＳＯＡＭＹＬ  ＡＣＥＴＡＴＥ  ＥＸＴＲＡ；（Ｅ）−２−メトキシ−４−（プロパ−１−エン−１−イル）フェノール、例えばＩＳＯＥＵＧＥＮＯＬ；イソプロピルテトラデカノアート、例えばＩＳＯＰＲＯＰＹＬ  ＭＹＲＩＳＴＡＴＥ；（Ｅ）−３−メチル−４−（２，６，６−トリメチルシクロヘキサ−２−エン−１−イル）ブタ−３−エン−２−オン、例えばＩＳＯＲＡＬＤＥＩＮＥ  ７０；
【００８３】
（Ｅ）−３−メチル−４−（２，６，６−トリメチルシクロヘキサ−２−エン−１−イル）ブタ−３−エン−２−オン、例えばＩＳＯＲＡＬＤＥＩＮＥ  ９５；（３ａＲ，６Ｓ，７ａＳ）−３ａ，４，５，６，７，７ａ−ヘキサヒドロ−１Ｈ−４，７−メタノインデン−６−イルアセタート、例えばＪＡＳＭＡＣＹＣＬＥＮＥ；（Ｚ）−３−メチル−２−（ペンタ−２−エン−１−イル）シクロペンタ−２−エノン、例えばＪＡＳＭＯＮＥ  ＣＩＳ；（１−メチル−２−（（１，２，２−トリメチルビシクロ［３．１．０］ヘキサン−３−イル）メチル）シクロプロピル）メタノール、例えばＪＡＶＡＮＯＬ；（Ｚ）−ヘキサ−３−エン−１−イルメチルカルボナート、例えばＬＩＦＦＡＲＯＭＥ  ＧＩＶ；３−（４−（ｔｅｒｔ−ブチル）フェニル）−２−メチルプロパナール、例えばＬＩＬＩＡＬ；３，７−ジメチルオクタ−１，６−ジエン−３−オール、例えばＬＩＮＡＬＯＯＬ  ＳＹＮＴＨＥＴＩＣ；３，７−ジメチルオクタ−１，６−ジエン−３−イルアセタート、例えばＬＩＮＡＬＹＬ  ＡＣＥＴＡＴＥ  ＳＹＮＴＨＥＴＩＣ；エチル２−メチルペンタノアート、例えばＭＡＮＺＡＮＡＴＥ；２，６−ジメチルヘプタ−５−エナール、例えばＭＥＬＯＮＡＬ；メチル２−アミノベンゾアート、例えばＭＥＴＨＹＬ  ＡＮＴＨＲＡＮＩＬＡＴＥ  ＥＸＴＲＡ；メチルベンゾアート、例えばＭＥＴＨＹＬ  ＢＥＮＺＯＡＴＥ；
【００８４】
１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン、例えばＭＥＴＨＹＬ  ＣＥＤＲＹＬ  ＫＥＴＯＮＥ；メチルノナ−２−イノアート、例えばＭＥＴＨＹＬ  ＯＣＴＹＮＥ  ＣＡＲＢＯＮＡＴＥ；６，６−ジメトキシ−２，５，５−トリメチルヘキサ−２−エン、例えばＭＥＴＨＹＬ  ＰＡＭＰＬＥＭＯＵＳＳＥ；メチル２−ヒドロキシベンゾアート、例えばＭＥＴＨＹＬ  ＳＡＬＩＣＹＬＡＴＥ；（Ｚ）−３−メチルシクロペンタデカ−５−エノン、例えばＭＵＳＣＥＮＯＮＥ；（Ｚ）−３，７−ジメチルオクタ−２，６−ジエン−１−イルアセタート、例えばＮＥＲＹＬ  ＡＣＥＴＡＴＥ  ＨＣ；１−（２−ナフタレニル）−エタノン、例えばＯＲＡＮＧＥＲ  ＣＲＹＳＴＡＬＳ；５−ヘプチルジヒドロフラン−２（３Ｈ）−オン、例えばＰＥＡＣＨ  ＰＵＲＥ；２−シクロヘキシリデン−２−フェニルアセトニトリル、例えば  ＰＥＯＮＩＬＥ；２−フェネチルアセタート、例えばＰＨＥＮＹＬ  ＥＴＨＹＬ  ＡＣＥＴＡＴＥ；２−フェニルエタノール、例えばＰＨＥＮＹＬ  ＥＴＨＹＬ  ＡＬＣＯＨＯＬ；３−メチルブタ−２−エン−１−イルアセタート、例えば  ＰＲＥＮＹＬ  ＡＣＥＴＡＴＥ；５−ペンチルジヒドロフラン−２（３Ｈ）−オン、例えばＰＲＵＮＯＬＩＤＥ；４−（４−ヒドロキシフェニル）ブタン−２−オン、例えばＲＡＳＰＢＥＲＲＹ  ＫＥＴＯＮＥ  （Ｎ１１２）；２，２，２−トリクロロ−１−フェニルエチルアセタート、例えばＲＯＳＡＣＥＴＯＬ；
【００８５】
４−メチル−２−（２−メチルプロパ−１−エン−１−イル）テトラヒドロ−２Ｈ−ピラン、例えばＲＯＳＥ  ＯＸＩＤＥ  ＣＯ；２−（４−メチルシクロヘキサ−３−エン−１−イル）プロパン−２−オール、例えばＴＥＲＰＩＮＥＯＬ  ＰＵＲＥ；２−（４−メチルシクロヘキサ−３−エン−１−イル）プロパン−２−イルアセタート、例えばＴＥＲＰＩＮＹＬ  ＡＣＥＴＡＴＥ；３，７−ジメチルオクタン−３−オール、例えばＴＥＴＲＡＨＹＤＲＯ  ＬＩＮＡＬＯＯＬ；オキサシクロヘキサデカン−２−オン、例えばＴＨＩＢＥＴＯＬＩＤＥ；１−（２，２，６−トリメチルシクロヘキシル）ヘキサン−３−オール、例えばＴＩＭＢＥＲＯＬ；２，４−ジメチルシクロヘキサ−３−エンカルバルデヒド、例えばＴＲＩＣＹＣＬＡＬ；３−（ベンゾ［ｄ］［１，３］ジオキソール−５−イル）−２−メチルプロパナール、例えばＴＲＯＰＩＯＮＡＬ；（Ｅ）−４−メチルデカ−３−エン−５−オール、例えばＵＮＤＥＣＡＶＥＲＴＯＬ；４−ヒドロキシ−３−メトキシベンズアルデヒド、例えばＶＡＮＩＬＬＩＮ；２−メトキシナフタレン、例えばＹＡＲＡ  ＹＡＲＡ。
【００８６】
これらの共原料のいずれか１種または共原料の任意の組合せが、達成したい特定のフレグランス効果に応じて、ウッディ、アンバー様香料組成物と混合して用いてよいことが、熟練した香料製造者には理解されるであろう。しかしながら、特に好ましい共原料はＡＭＢＲＥＩＮＥ、ＣＥＤＲＯＸＹＤＥ、ＯＳＹＲＯＬ、ＣＥＤＲＥＮＥ  ＷＡＳＨＥＤおよびＳＣＬＡＲＥＮＥである。
【００８７】
上記香料組成物およびフレグランス配合物は、前記組成物が添加される消費者製品の香気をポジティブに付与または改変するために、技術的な香料製造所およびファイン香料を含めた現代の香料の全ての分野で使用することができる。よって、本明細書に記載された香料組成物またはフレグランス配合物によって付香された消費者製品は、本発明のさらなる側面を形成する。
【００８８】
本明細書で言及される消費者製品は、それが洗剤、界面活性剤などの香料組成物またはフレグランス配合物と共に一般的に使用され得る他の有益な剤をもたらすこともできるが、毛髪、布地または家の表面またはその周辺などの、適用される表面に、少なくとも付香効果をもたらすことが期待される製品のことを指す。
【００８９】
好適な消費者製品の非限定的な例としては、ファイン香料、コロンまたはアフターシェーブローション；布地ケア製品、例えば液体または固体洗剤、布地柔軟剤、布地リフレッシャー、アイロンウォーター、紙、または漂白剤など；ボディケア製品、例えばヘアケア製品（例えば、シャンプー、着色調製物またはヘアスプレー）、化粧品調製物（例えば、バニシングクリームまたはデオドラントまたは制汗剤）、またはスキンケア製品（例えば、付香石鹸、シャワーまたはバスムース、オイルまたはゲル、または衛生用品）など；エアケア製品、例えばエアフレッシュナーまたは「すぐに使用できる」粉末エアフレッシュナーなど；またはホームケア製品、例えばワイプ、皿用洗剤または硬質表面用洗剤などが挙げられる。
【００９０】
本発明によるウッディ、アンバー様香料組成物が前述の種々の消費者製品に組み込まれる割合は、広範な値内で変化するであろう。これらの値は、本発明による香料組成物が上で言及した香料共原料、キャリア、溶媒またはアジュバントと混合された場合に、付香される消費者製品の性質、および所望の感覚刺激効果ならびに所与の香料ベースにおける共原料の性質に依存する。
典型的な濃度は、それらが組み込まれる消費者製品の全重量に基づいて、０．１重量％〜５重量％オーダーまたはそれ以上であろう。
【００９１】
消費者製品の詳しい例としては、限定するものではないが、ベビーケア、美容ケア、ファブリック＆ホームケア、家族ケア、女性ケア、ヘルスケア、例えばおむつ、よだれかけ、ワイプなど；ブリーチ、着色、染色、コンディショニング、シャンプー、スタイリングを含めた毛髪（ヒト、イヌおよび／またはネコ）の処理に関する製品および／または方法；消臭剤および発汗抑制剤；パーソナルクレンジング；化粧品；クリーム、ローション、および、その他のファインフレグランスを含めた消費者用の局所適用製品を含めたスキンケア；およびシェービング製品、エアフレッシュナーおよび香りデリバリーシステムを含めたエアケア、カーケア、食器洗浄、布地コンディショニング（柔軟および／またはフレッシュニングを含む）洗濯洗剤、洗濯およびリンス添加剤および／またはケア、床および便器クリーナーを含めた硬質表面洗浄およびその他の消費者用または施設用のための洗浄を含めた布地、硬質表面および布地およびホームケア分野における任意の他の表面の処理に関する製品および／または方法；バスティッシュ、フェイスティッシュ、紙ハンカチおよび／またはペーパータオルに関する製品および／または方法；タンポンおよび女性のナプキン、が挙げられる。
【００９２】
本明細書において使用されている、用語「洗浄および／または処理組成物」は、特記しない限り、美容ケア、布地およびホームケア製品を含めた消費者製品のサブセットである。かかる製品には、限定するものではないが、ブリーチ、着色、染色、コンディショニング、シャンプー、スタイリングを含めた毛髪（ヒト、イヌおよび／またはネコ）を処理するための製品;消臭剤および発汗抑制剤；パーソナルクレンジング；化粧品；クリーム、ローションおよびその他のファインフレグランスを含めた消費者用の局所適用製品を含めたスキンケア；および
【００９３】
シェービング製品、以下を含めた布地、硬質表面および布地およびホームケア分野における任意の他の表面を処理するための製品：エアフレッシュナーおよび香りデリバリーシステムを含めたエアケア、カーケア、食器洗浄、布地コンディショニング（柔軟および／またはフレッシュニングを含む）洗濯洗剤、洗濯およびリンス添加剤および／またはケア、床および便器クリーナーを含めた硬質表面洗浄および／または処理、粒状または粉末状の汎用または「強力な（heavy-duty）」洗浄剤、特に洗浄洗剤；
【００９４】
液体、ゲル、またはペースト状汎用洗浄剤、特にいわゆる強力な（heavy-duty）液体タイプ；液体ファイン−ファブリック洗剤;手洗い用食器洗浄剤または軽い（light duty）食器洗剤、特に高発泡タイプのもの;家庭用および施設用の、様々な錠剤、粒状、液体およびリンス補助タイプを含めた機械用食器洗浄剤;例えば抗菌手洗いタイプ、クレンジングバー、洗口剤、義歯クリーナー、歯磨き剤、車またはカーペットシャンプー、便器クリーナーを含めたバスルームクリーナー含めた液体の洗浄および消毒剤；ヘアシャンプーおよびヘアリンス；シャワージェル、ファインフレグランスおよびフォームバスおよび金属クリーナー；ならびに、例えば漂白添加剤および「ステインスティック」または前処理タイプなどの洗浄助剤、例えば乾燥添加シート、乾燥およびウェットワイプおよびパッド、不織布基材およびスポンジなどの基材含有製品；ならびに消費者および／または施設の使用のためのスプレーおよびミスト、が挙げられる。
【００９５】
本明細書において使用される、用語「布地および／または硬質表面洗浄および／または処理組成物」は、特記しない限り、洗浄および処理組成物のサブセットであって、これには、粒状または粉末状の汎用または「強力な（heavy-duty）」洗浄剤、特にクリーニング洗剤；液体、ゲルまたはペースト状汎用洗浄剤、特にいわゆる強力な液体タイプ；液体ファイン−ファブリック洗剤；手洗い用食器洗浄剤または軽い食器洗浄剤、特に高発泡タイプのもの；家庭用および施設用の、様々な錠剤、粒状、液体およびリンス補助タイプを含めた機械用食器洗浄剤；
【００９６】
抗菌手洗いタイプ、クリーニングバー、車またはカーペットシャンプー、便器クリーナーを含めたバスルームクリーナーを含めた液体の洗浄および消毒剤；金属クリーナー、液体、固体および／または乾燥シート状であってもよい、柔軟および／またはフレッシュニングを含めた布地コンディショニング製品；ならびに、例えば漂白添加剤および「ステインスティック」または前処理タイプなどの洗浄助剤、例えば乾燥添加シート、乾燥およびウェットワイプおよびパッド、不織布基材およびスポンジなどの基材含有製品；ならびにスプレーおよびミスト、が挙げられる。適用可能なかかる製品の全ては、標準で、濃縮形態で、またはかかる製品がある側面において非水性であり得る程度の高濃縮形態であってもよい。
【００９７】
ここで、本発明を、以下の例を参照してさらに説明し例示する。
例１
一連のウッディ、アンバー様香料組成物は、第１および第２の香料原料、第３原料、および／または溶媒または希釈剤を混合して調製した。得られた組成物を表１に記す。
【００９８】
性能結果は、上で定義したとおりの第１および第２原料を組み合わせることにより、快楽的にも性能の点でもＫＡＲＡＮＡＬに実質的に一致する組成物を形成することが可能であることを実証している（例３参照）。
これらの例において、ＫＡＲＡＮＡＬのシャープ、ドライ、ミネラル、「コールド」、粘着性の汚い汗、ニトリル、グリーン、ラディアント、フュージング、バーニング香気特性は、（１’Ｒ，３Ｓ，６’Ｓ）−１−（２’，２’，６’−トリメチル−１’−シクロヘキシル）−３−ヘキサノールおよび（１’Ｓ，３Ｓ，６’Ｒ）−１−（２’，２’，６’−トリメチル−１’−シクロヘキシル）−３−ヘキサノールおよびこれらの混合物、およびＡＭＢＲＯＣＥＮＩＤＥおよび／またはＡＭＢＥＲＭＡＸ；および／またはＡＭＢＥＲ  ＸＴＲＥＭ；を、ＳＰＩＲＡＭＢＲＥＮＥ、ＰＨＡＲＡＯＮＥ、ＭＹＳＴＩＣＡＬおよびＡＬＤＲＯＮＥの１種以上と混合した場合によく似ている。
【００９９】
【表１】
2018538411.tif 000006
（１）ＮＩＭＢＥＲＯＬ中に存在する（１’Ｒ，３Ｓ，６’Ｓ）−１−（２’，２’，６’−トリメチル−１’−シクロヘキシル）−３−ヘキサノールと（１’Ｓ，３Ｓ，６’Ｒ）−１−（２’，２’，６’−トリメチル−１’−シクロヘキシル）−３−ヘキサノールとの異性体混合物の量
（２）考慮した希釈係数
（３）ＮＩＭＢＥＲＯＬ中に存在する（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールの異性体混合物の量
【０１００】
【表２】
2018538411.tif 000007
【０１０１】
【表３】
2018538411.tif 000008
（１）ＮＩＭＢＥＲＯＬ中に存在する（１’Ｒ，３Ｓ，６’Ｓ）−１−（２’，２’，６’−トリメチル−１’−シクロヘキシル）−３−ヘキサノールと（１’Ｓ，３Ｓ，６’Ｒ）−１−（２’，２’，６’−トリメチル−１’−シクロヘキシル）−３−ヘキサノールとの異性体混合物の量
（２）考慮した希釈係数
（３）ＮＩＭＢＥＲＯＬ中に存在する（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールの異性体混合物の量
【０１０２】
例２
この例においては、第１原料のみ、または、第２原料のみを使用することによって、ＫＡＲＡＮＡＬ香気特性に一致させることを試みた。表２に記すこれらの比較の結果は満足できるものではない。一方、第１および第２原料の両方のカテゴリーに構成要素を有する１つの単一成分は、より良好な結果を提供するが、両方のカテゴリーにおける原料の多様性が考慮されている例１で得られる結果よりもなお低い。
【０１０３】
【表４】
2018538411.tif 000009
（１）ＮＩＭＢＥＲＯＬ中に存在する（１’Ｒ，３Ｓ，６’Ｓ）−１−（２’，２’，６’−トリメチル−１’−シクロヘキシル）−３−ヘキサノールと（１’Ｓ，３Ｓ，６’Ｒ）−１−（２’，２’，６’−トリメチル−１’−シクロヘキシル）−３−ヘキサノールとの異性体混合物の量
（２）考慮した希釈係数
（３）ＮＩＭＢＥＲＯＬ中に存在する（１’Ｓ，３Ｒ，６’Ｒ）−１−（２’，２’，６’−トリメチル−１’−シクロヘキシル）−３−ヘキサノール、（１’Ｒ，３Ｒ，６’Ｓ）−１−（２’，２’，６’−トリメチル−１’−シクロヘキシル）−３−ヘキサノールの異性体混合物の量
【０１０４】
【表５】
2018538411.tif 000010
（２）考慮した希釈係数
【０１０５】
例３
例１の組成物を吸い取り紙および皮膚上で評価した。香気特性および性能の両方を、両方の基材で、適用時（ｔ＝０）、２時間後および４時間後にＫＡＲＡＮＡＬと比較した。結果を表１に記す、ここでは、属性は有望（ＫＡＲＡＮＡＬを連想させるが、評価のすべてのステージで、快楽の面またはパフォーマンスの面のいずれかで依然として最適化されていない）から、優秀（評価のすべてのステージで、快楽の面またはパフォーマンスの面のいずれかでＫＡＲＡＮＡＬの全ての特質と一致している）まで順位付けした。
【国際調査報告】
2018538411.tif 000011
2018538411.tif 000012
2018538411.tif 000013
2018538411.tif 000014
2018538411.tif 000015